(57)【要約】【課題】透明ブロックの他に光源を必要とせず、昼夜を問わず可視光による演出を可能とする透明ブロック装置を提供する。【解決手段】透明ブロック装置１０において、直方体の外形を有する透明ブロック本体１１と、透明ブロック本体１１の１つの面に配置され、可視光を発する透明ＥＬ素子１２と、透明ＥＬ素子１２に設けられた放熱板１３と、外部から光を取り込み透明ＥＬ素子１２を発光させない第１モードと、透明ＥＬ素子１２を発光させる第２モードと、を切り替える制御装置１４と、を備える。【選択図】図１
2010281056.tif 000002
【特許請求の範囲】
【請求項１】
平面又は曲面又はその組合せからなる立体的又は平面的な外形を有する透明ブロック本体と、
前記透明ブロック本体の少なくとも１つの面に配置され、可視光を発する透明ＥＬ素子と、
外部から光を取り込み前記透明ＥＬ素子を発光させない第１モードと、前記透明ＥＬ素子を発光させる第２モードと、を切り替えるＥＬ制御手段と、
を備える、
ことを特徴とする透明ブロック装置。
【請求項２】
前記透明ブロック本体は、ガラスブロックである、
ことを特徴とする請求項１に記載の透明ブロック装置。
【請求項３】
前記透明ＥＬ素子は、有機ＥＬ素子である、
ことを特徴とする請求項１又は２に記載の透明ブロック装置。
【請求項４】
外部から取り込んだ光量が所定のレベル以下になったことを検知する光量検知手段を備え、
前記ＥＬ制御手段は、前記光量検知手段により外部から取り込んだ光量が所定のレベル以下になったことを検知した場合、前記第２モードに切り替える、
ことを特徴とする請求項１乃至３のいずれか一項に記載の透明ブロック装置。
【請求項５】
夜になったことを検知する夜検知手段を備え、
前記ＥＬ制御手段は、前記夜検知手段により夜になったことを検知した場合、前記第２モードに切り替える、
ことを特徴とする請求項１乃至４のいずれか一項に記載の透明ブロック装置。
【請求項６】
前記透明ＥＬ素子には、放熱板が設けられている、
ことを特徴とする請求項１乃至５のいずれか一項に記載の透明ブロック装置。
【請求項７】
前記透明ブロック本体の外形は、直方体又は立方体であり、
前記透明ＥＬ素子の外形は、板状であり、
前記透明ＥＬ素子は、前記透明ブロック本体の１つの面に、その略全面を覆うように取り付けられている、
ことを特徴とする請求項１乃至６のいずれか一項に記載の透明ブロック装置。
【請求項８】
壁、天井、床、又は柱に埋め込まれる、
ことを特徴とする請求項１乃至７のいずれか一項に記載の透明ブロック装置。
【発明の詳細な説明】
【技術分野】
【０００１】
本発明は、ガラスブロック等の透明ブロックにより可視光による演出を可能とする透明ブロック装置に関する。
【背景技術】
【０００２】
従来、ガラスブロックに太陽光を取り込んで可視光による演出を可能とする透明ブロック装置が知られている。しかし、こうした透明ブロック装置では、夜間には太陽光を得られず演出を行うことが難しい。
【０００３】
一方、特許文献１には、ガラスブロックと、ガラスブロックの内側にセットされた照明と、を有する透明ブロック装置が開示されている。
【先行技術文献】
【特許文献】
【０００４】
【特許文献１】特許第３８９４２４２号公報
【発明の概要】
【発明が解決しようとする課題】
【０００５】
特許文献１に記載の透明ブロック装置では、透明ブロック自体は発光せず、透明ブロックとは別に光源が必要になる。
【０００６】
本発明は、こうした実情に鑑みてなされたものであり、透明ブロックの他に光源を必要とせず、昼夜を問わず可視光による演出を可能とする透明ブロック装置を提供することを目的とする。
【課題を解決するための手段】
【０００７】
本発明に係る透明ブロック装置は、平面又は曲面又はその組合せからなる立体的又は平面的な外形を有する透明ブロック本体と、前記透明ブロック本体の少なくとも１つの面に配置され、可視光を発する透明ＥＬ素子と、外部から光を取り込み前記透明ＥＬ素子を発光させない第１モードと、前記透明ＥＬ素子を発光させる第２モードと、を切り替えるＥＬ制御手段と、を備える。
【発明の効果】
【０００８】
本発明によれば、透明ブロックの他に光源を必要とせず、昼夜を問わず可視光による演出を行うことができる。
【図面の簡単な説明】
【０００９】
【図１】本発明の実施形態に係る透明ブロック装置の概要を示す図である。
【図２】図１の透明ブロック装置に用いられる制御装置の構成を示す図である。
【図３Ａ】図１の透明ブロック装置の使用態様の第１の例を示す図である。
【図３Ｂ】図１の透明ブロック装置の使用態様の第２の例を示す図である。
【図３Ｃ】図１の透明ブロック装置の使用態様の第３の例を示す図である。
【図４】複数の透明ＥＬパネル及び放熱板を有する透明ブロック装置の一例を示す図である。
【図５】放熱板を有さない透明ブロック装置の一例を示す図である。
【図６】図２の制御装置の構成の第１の別例を示す図である。
【図７】図２の制御装置の構成の第２の別例を示す図である。
【発明を実施するための形態】
【００１０】
以下、本発明に係る透明ブロック装置の実施形態について、図面を参照して説明する。
【００１１】
なお、図中、矢印Ｘ１、Ｘ２、Ｙ１、Ｙ２、Ｚ１、Ｚ２は、互いに直交する３軸（ＸＹＺ軸）に係る６方向を示している。
【００１２】
透明ブロック装置１０は、透明ブロック本体１１と、透明ＥＬパネル１２（透明ＥＬ素子）と、放熱板１３と、制御装置１４（ＥＬ制御手段）と、を備える。透明ＥＬパネル１２及び放熱板１３は透明ブロック本体１１の矢印Ｘ１側の面に配置され、制御装置１４は透明ブロック本体１１の矢印Ｚ２側の面に配置される。
【００１３】
透明ブロック本体１１は、例えばガラスブロックである。本実施形態では、透明ブロック本体１１が直方体の外形を有する。ガラスブロックには、中空ガラスブロック、プリズムガラス、ガラスタイル、ガラスブリック等、又はそれらの組合せが含まれる。ガラスの不純物の種類や量、又はカット角等は、任意に設定することができる。もっとも、透明ブロック本体１１は、ガラスブロックに限定されず、プラスチック製のブロック等であってもよい。ただし、透明ブロック本体１１を屋外で使用する場合には、耐候性を有する材料を採用することが好ましい。ガラスブロックの表面を透明材料でコーティングしてもよい。また、透明ブロック本体１１の外形は直方体に限られず、立方体、円柱、円錐、半球、又は球等の立体的形状であっても、所定の厚みを有する板（平面的形状）であってもよい。ただし、透明ブロック本体１１の製造の容易性や透明ＥＬパネル１２等の組み付け易さを考慮すると、直方体又は立方体が好ましい。
【００１４】
透明ＥＬパネル１２は、可視光を発する有機ＥＬ素子からなる。本実施形態では、透明ＥＬパネル１２が板状（薄型）の外形を有する。透明ＥＬパネル１２は、透明ブロック本体１１の１つの面（例えば矢印Ｘ１側の面）に、その略全面を覆うように貼付されている。透明ＥＬパネル１２は、例えば両面テープ、又はシリコン等の接着剤により、透明ブロック本体１１に貼付することができる。透明ＥＬパネル１２は、透光性を有する。透明ＥＬパネル１２の電極は、例えばＩＴＯ（Indium Tin Oxide）等の透明電極からなる。本実施形態の透明ブロック装置１０では、透明ＥＬパネル１２が透光性を有して透明ブロック本体１１に貼付されることで、透明ブロック本体１１と透明ＥＬパネル１２とが一体化した透明ブロックとなり、透明ブロック自体の発光が可能になる。
【００１５】
透明ＥＬパネル１２の表裏面の一方（例えば矢印Ｘ１側の面）には、例えば金属からなる放熱板１３が貼付されている。放熱板１３の材料としては、例えばアルミニウム、又は鉄などが好ましい。ただし、放熱板１３の材料は、これらに限定されず任意である。
【００１６】
制御装置１４は、図２に示すように、受光素子１４ａ（光量検知手段）と、例えばマイクロコンピュータ等からなる制御部１４ｂと、電源１４ｃと、スイッチング素子１４ｄと、を内蔵する。制御装置１４は、例えば透明ブロック本体１１にネジ留めされる。ただしこれに限定されず、透明ブロック本体１１を壁の中に設置する場合には、制御装置１４も一緒に壁の中に埋設する（壁材で固める）ことで固定してもよい。
【００１７】
受光素子１４ａは、太陽等の外部光源からの光（特に可視光）の量（光量）を検出する。受光素子１４ａとしては、例えばフォトダイオードを用いることができる。制御部１４ｂは、受光素子１４ａの出力信号（光量信号）を取り込み、その光量信号に応じて、スイッチング素子１４ｄのオン／オフ操作をする。電源１４ｃは、例えば二次電池（蓄電池）からなる。ただしこれに限定されず、電源１４ｃは、一次電池（乾電池）でも、ケーブル（コンセント）による供給でもよい。スイッチング素子１４ｄは、透明ＥＬパネル１２の給電経路に設けられる。スイッチング素子１４ｄがオンすると、透明ＥＬパネル１２に電源１４ｃの電力が供給され、スイッチング素子１４ｄがオフすると、透明ＥＬパネル１２に電源１４ｃの電力が供給されなくなる。スイッチング素子１４ｄは、ノーマリオンであっても、ノーマリオフであってもよい。
【００１８】
透明ブロック本体１１は、例えば建物の外壁に埋め込まれ、昼間は太陽光を取り込む。太陽光が透明ブロック本体１１内に取り込まれることで、透明ブロック本体１１における光の反射等により、演出効果が得られる。また、透明ＥＬパネル１２から発せられる可視光も、透明ブロック本体１１に取り込まれる。この場合も、透明ブロック本体１１における光の反射等により、演出効果が得られる。制御部１４ｂは、外部から光（例えば太陽光）を取り込み透明ＥＬパネル１２を発光させない第１モードと、透明ＥＬパネル１２を発光させる第２モードと、を切り替える。具体的には、制御部１４ｂは、受光素子１４ａの光量信号により、外部から取り込んだ光量が所定のレベル（閾値）以下になったか否かを判断する。そして、外部から取り込んだ光量が所定のレベルを超えていると判断した場合には、スイッチング素子１４ｄをオフし、第１モードへ切り替える。これにより、外部からの光のみで上記演出が行われる。一方、外部から取り込んだ光量が所定のレベル以下になったと判断した場合には、スイッチング素子１４ｄをオンし、第２モードに切り替える。これにより、透明ＥＬパネル１２を発光させ、外部からの光だけでなく、透明ＥＬパネル１２の光によっても、上記演出を行うことが可能になる。
【００１９】
スイッチング素子１４ｄのオン／オフの切替値（所定の閾値）には、チャタリング現象を抑制するため、例えばヒステリシスコンパレータや、ラッチ回路、ディレイ回路等でヒステリシス特性をもたせることが好ましい。なお、「所定の」は、「固定の」とは区別される。すなわち、最初に設定された値がそのまま維持されることのほか、予め設定された値が任意のタイミングで変更されることも、状況に応じて随時設定（可変設定）されることも、「所定の」に含まれる。状況に応じて随時処理タイミングを設定することで、リアルタイムでその都度処理を指示することができる。
【００２０】
透明ブロック装置１０は、例えば図３Ａに示すように、ビルや住宅等の壁１０１に埋め込まれる。この場合、透明ブロック装置１０は、例えば窓として機能し、採光に用いられる。
【００２１】
ただし、透明ブロック装置１０を壁に埋め込むことは必須ではなく、例えば天井、床、又は柱に、透明ブロック装置１０を埋め込んでもよい。また、図３Ｂに示すように、例えばビルや住宅等の壁１０１に設けられた扉１０２に、透明ブロック装置１０を設けてもよい。また、図３Ｃに示すように、回転式の開閉窓１０３に、透明ブロック装置１０を設けてもよい。さらには、例えばステンレス、プラスチック、鉄、又はアルミニウム等からなる枠に透明ブロック装置１０を保持させて、卓上で用いてもよい。
【００２２】
本実施形態の透明ブロック装置１０では、十分な太陽光が得られない悪天候の日や夜間にも透明ＥＬパネル１２を発光させることで、透明ブロック本体１１を室内の演出照明として使用することが可能になる。また、本実施形態の透明ブロック装置１０を、庭園灯等の屋外照明として使用することも可能である。
【００２３】
以上、本発明の実施形態に係る透明ブロック装置について説明したが、本発明は、上記実施形態に限定されない。例えば以下のように変形して実施することもできる。
【００２４】
透明ＥＬパネル１２又は放熱板１３の数は一枚に限定されず、複数でもよい。例えば図４に示すように、透明ＥＬパネル１２及び放熱板１３を、透明ブロック本体１１の矢印Ｘ２側の面にも配置してもよい。
【００２５】
放熱板１３は必須の構成ではなく、例えば図５に示すように、割愛してもよい。
【００２６】
制御部１４ｂを割愛して、例えば図６に示すように、ソフトウェアにはよらず回路（ハードウェア）だけでスイッチング素子１４ｄのオン／オフを制御してもよい。図６の例では、外部から取り込んだ光量が所定のレベル（閾値）を超えると、受光素子１４ａから電気信号が出力され、スイッチング素子１４ｄがオフされる。
【００２７】
上記実施形態では、受光素子１４ａの光量信号に基づいてスイッチング素子１４ｄのオン／オフを制御するようにした。しかしこれに限定されず、例えば１日における時刻に基づいてスイッチング素子１４ｄのオン／オフを制御してもよい。具体的には、例えば図７に示すように、受光素子１４ａに代えて、タイマー１４ｅ（夜検知手段）を設ける。そして、夜に相当する所定の時刻（例えば１８時）になると、タイマー１４ｅから電気信号が出力され、スイッチング素子１４ｄがオンされる。これにより、夜には透明ＥＬパネル１２が発光し、昼夜を問わず、可視光による演出が可能となる。タイマー１４ｅに設定する時刻（閾値）は季節等に応じて変更することが好ましい。
【００２８】
その他の点についても、透明ブロック装置１０の構成は、本発明の趣旨を逸脱しない範囲において任意に変更することができる。
【００２９】
透明ＥＬパネル１２を透明ブロック本体１１に取り付ける方法は、貼付に限られない。例えば透明ブロック本体１１の角部分にネジ穴を設けるとともに、透明ＥＬパネル１２の対応する部分に、ネジを挿入するための貫通穴を設けて、両者をネジで固定してもよい。
【００３０】
以上、本発明の実施形態について説明したが、設計上の都合やその他の要因によって必要となる様々な修正や組み合わせは、「請求項」に記載されている発明や「発明の実施の形態」に記載されている具体例に対応する発明の範囲に含まれると理解されるべきである。
【産業上の利用可能性】
【００３１】
本発明の透明ブロック装置は、演出照明などに適している。
【符号の説明】
【００３２】
１０  透明ブロック装置
１１  透明ブロック本体
１２  透明ＥＬパネル（透明ＥＬ素子）
１３  放熱板
１４  制御装置（ＥＬ制御手段）
１４ａ  受光素子（光量検知手段）
１４ｂ  制御部
１４ｃ  電源
１４ｄ  スイッチング素子
１４ｅ  タイマー（夜検知手段）
１０１  壁
１０２  扉
１０３  回転式の開閉窓
【図１】
2010281056.tif 000003
【図２】
2010281056.tif 000004
【図３Ａ】
2010281056.tif 000005
【図３Ｂ】
2010281056.tif 000006
【図３Ｃ】
2010281056.tif 000007
【図４】
2010281056.tif 000008
【図５】
2010281056.tif 000009
【図６】
2010281056.tif 000010
【図７】
2010281056.tif 000011